(57)【要約】【課題】施工が簡単であって建築コストの上昇を伴うことのない耐震性に優れた木造建築構造を提供し、更には、優れた通気性をも備えた木造建築構造を提供する。【解決手段】柱、梁等の支持体１における角部に支持用切欠部３を形成し、該支持用切欠部に壁部材、床部材等の板状部材５の縁部７を嵌着したことを特徴とする木造建築構造。柱、梁等の支持体１の中央部に支持用溝４を形成し、該支持用溝に壁部材、床部材等の板状部材１５の縁部１６を嵌着してもよい。前記板状部材の表面に多数本の通気溝２３を形成する。通気溝は、好ましくは、板状部材の表面に傾斜した状態で平行に形成する。【選択図】図１
2009062786.tif 000002
【特許請求の範囲】
【請求項１】
柱、梁等の支持体における角部に支持用切欠部を形成し、該支持用切欠部に壁部材、床部材等の板状部材の縁部を嵌着したことを特徴とする木造建築構造。
【請求項２】
柱、梁等の支持体における中央部に支持用溝を形成し、該支持用溝に壁部材、床部材等の板状部材の縁部を嵌着したことを特徴とする木造建築構造。
【請求項３】
前記板状部材の表面に多数本の通気溝を形成したことを特徴とする請求項１又は２に記載の木造建築構造。
【発明の詳細な説明】
【技術分野】
【０００１】
本発明は、木造建築構造に関するものであり、特に耐震性に優れた木造建築構造に係るものである。
【背景技術】
【０００２】
多くの個人住宅を構成する木造建築構造においては、壁部材、床部材等の板状部材は、柱、梁等の支持体の表面にビス、ボルト、釘等の固着具により固着されている。
【０００３】
しかるに、壁部材、床部材等の板状部材を柱、梁等の支持体の表面にビス、ボルト、釘等の固着具により固着した場合には、該固着具は地震発生時に折損するおそれがある。固着具が折損したときには、板状部材は支持体から離脱するおそれがある。
【０００４】
近年、木造建築構造についても、耐震性を向上させることが要求されている。そのため、建築物の土台部分と、該土台部分に固定される基礎枠体を構成する柱、梁、壁部材、床部材等の材質、形状等とに種々の工夫がなされている。
【０００５】
例えば、特開平１０−３１１０８９号公報は、構造材に仕口加工の集成材を使用し、該構造材の接合には仕口内に嵌合する接合金具を使用して軸組し、該接合金具はあご掛け金具とホゾパイプとドリフトピンとよりなり、該軸組内に枠壁パネルを嵌挿したことを特徴とする耐震性の木造建築構造を開示している。
【特許文献１】特開平１０−３１１０８９号公報
【発明の開示】
【発明が解決しようとする課題】
【０００６】
しかるに、特開平１０−３１１０８９号公報に開示された木造建築構造を含む従来の耐震性の木造建築構造においては、施工が複雑になり、建築コストが増大するおそれがある。
【０００７】
本発明は、上記従来の木造建築構造における上述の如き問題を解決し、施工が簡単であって建築コストの上昇を伴うことのない耐震性に優れた木造建築構造を提供し、更には、優れた通気性をも備えた木造建築構造を提供しようとしてなされたものである。  
【課題を解決するための手段】
【０００８】
上記課題を解決するために、本発明は、下記の木造建築構造を提供するものである。
【０００９】
（１）柱、梁等の支持体における角部に支持用切欠部を形成し、該支持用切欠部に壁部材、床部材等の板状部材の縁部を嵌着したことを特徴とする木造建築構造（請求項１）。
【００１０】
（２）柱、梁等の支持体における中央部に支持用溝を形成し、該支持用溝に壁部材、床部材等の板状部材の縁部を嵌着したことを特徴とする木造建築構造。
【００１１】
（３）前記板状部材の表面に多数本の通気溝を形成する。
【発明の効果】
【００１２】
［請求項１の発明］
柱、梁等の支持体における角部に形成された支持用切欠部に壁部材、床部材等の板状部材の縁部を嵌着するため、地震発生時にも板状部材は支持体の角部に形成された支持用切欠部に保持され、該支持用切欠部から離脱するおそれが小さい。
【００１３】
［請求項２の発明］
柱、梁等の支持体における中央部に形成された支持用溝に壁部材、床部材等の板状部材の縁部を嵌着するため、地震発生時にも板状部材は支持体の中央部に形成された支持用溝に保持され、該支持用溝から離脱するおそれが小さい。また、板状部材が壁部材である場合には、筋交い、貫等は不要である。
【００１４】
[請求項３の発明]
壁部材、床部材等の板状部材の表面に多数本の通気溝を形成したため、該板状部材の表面に別の板状部材が密接したときでも、該通気溝を介して通気が確保される。
【発明を実施するための最良の形態】
【００１５】
符号１（１ａ〜１ｃ）に示すものは、柱、梁等の支持体である。図１、図２に示す支持体１ａは、垂直方向に配設された柱である。図３に示す支持体１ｂは、水平方向に配設された二階梁である。図３に示す支持体１ｃは、水平方向に配設された胴差しである。
【００１６】
支持体１は、正方形状又は長方形状の断面を有し、支持体１における角部に支持用切欠部３を形成する。
【００１７】
支持用切欠部３は、支持体１の長さ方向に、単数本又は複数本形成する。
【００１８】
支持体１における角部に形成された支持用切欠部３に壁部材、床部材等の板状部材５の縁部７を嵌着する。
【００１９】
また、柱、梁等の支持体１における中央部に支持用溝４を形成し、該支持用溝４に壁部材、床部材等の板状部材１５の縁部１６を嵌着してもよい。支持用溝４は、支持体１の長さ方向に形成する。
【００２０】
図１に示す板状部材５ａ、１５は、壁部材であって、一例としてコンパネ（コンポジットパネル、合板）により形成されている。
【００２１】
図１に示す事例においては、板状部材５ａである壁部材の外面に外装部材９が取り付けられている。符号１１に示すものは、板状部材５ａの表面が支持体１ａの表面より外方に突出しているときに、該支持体１ａの表面に取り付けることにより、該支持体１ａの表面が板状部材５ａの表面と同一面になるようにするための調節板である。
【００２２】
図１において、符号１３に示すものは間柱、符号１７に示すものは板状部材１５の内側面に取り付けられた別の板状部材である。
【００２３】
図３に示す板状部材５ｂは、床部材であって、一例としてコンパネ（コンポジットパネル、合板）により形成されている。
【００２４】
図３における符号１９に示すものは根太、符号２１に示すものは仕上げ材である。
【００２５】
前記板状部材５、１５、１７の表面には多数本の通気溝２３、２３・・・を形成する。
【００２６】
図４に示す事例においては、通気溝２３、２３・・・は、長方形状ないし正方形状の板状部材５、１７の表面に傾斜した状態で平行に形成されている。
【図面の簡単な説明】
【００２７】
【図１】本発明による木造建築構造の一例を示す断面図である。
【図２】支持体の支持用切欠部を示す断面図である。
【図３】本発明による木造建築構造の別の一例を示す断面図である。
【図４】通気溝を備えた板状部材の一例を示す正面図である。
【符号の説明】
【００２８】
１  支持体
１ａ  支持体
１ｂ  支持体
１ｃ  支持体
３  支持用切欠部
４  支持用溝
５  板状部材
５ａ  板状部材
５ｂ  板状部材
７  縁部
９  外装部材
１１  調節板
１３  間柱
１５  板状部材
１６  縁部
１７  板状部材
１９  根太
２１  仕上げ材
２３  通気溝
【図１】
2009062786.tif 000003
【図２】
2009062786.tif 000004
【図３】
2009062786.tif 000005
【図４】
2009062786.tif 000006